(57)【要約】【課題】デジタルテレビ等の被制御装置に用いるリモートコントローラを改良してＧＵＩ等における操作性の向上を図ることのできる技術を提供する。【解決手段】デジタルテレビのスクリーン１０２に映出されるアイコンやサムネイル等の複数の代表画像のうちの何れかのものを選択するには、リモートコントローラ２００の筐体２０１の操作面２３１Ｓに配されたカーソルキーに対する操作よってそれら代表画像の表示面で面内方向に位置をシフトして所望のものを選択する一方、仮想的にスクリーン１０２に垂直な方向に重畳している別の階層やカテゴリを異にする複数の代表画像表示画面をページをめくる如くして切り替え選択するには、筐体２０１の姿勢を変える等して生じる移動態様検出部２１１の検出出力に基づいてこの切り替え選択を行う。【選択図】図２
2007329531.tif 000002
【特許請求の範囲】
【請求項１】
各所定事項を夫々代表する複数の代表画像が各区分されて面内方向に配置される代表画像表示画面を該代表画像表示画面に垂直な方向に仮想的に複数重畳配置して該複数重畳配置された代表画像表示画面のうちの何れかを表示器の一の表示面上に選択的に表示する被選択事項表示機能を備えた被制御装置に対して前記複数の代表画像のうちの一の代表画像を選択するための制御信号を送信するリモートコントローラであって、
前記被制御装置の被選択事項表示機能によって表示される当該一の代表画像表示画面上を移動するようにして代表画像の選択位置を面内方向に切替えて複数の代表画像のうちの何れかの代表画像を選択する面内選択制御信号を操作者の操作に応じて生成するための面内選択操作部と、前記被制御装置の被選択事項表示機能によって当該表示画面に垂直な方向に仮想的に複数重畳配置される前記各代表画像表示画面のうちの何れかの代表画像表示画面を選択する垂直選択制御信号を操作者の操作に応じて生成するための垂直選択操作部とを備え、且つ、前記面内選択操作部は当該リモートコントローラの筐体に配された操作子に対する操作者の操作に応じて当該面内選択制御信号を生成し、前記垂直選択操作部は当該リモートコントローラの筐体の移動態様に応じて当該垂直選択制御信号を生成するように構成されていることを特徴とするリモートコントローラ。
【請求項２】
前記垂直選択操作部は、前記筐体の移動態様を検出する検出器の検出出力に応じて当該垂直選択制御信号を生成するように構成されていることを特徴とする請求項１に記載のリモートコントローラ。
【請求項３】
前記垂直選択操作部は、前記面内選択操作部の操作子が配された前記筐体上の操作面と交差する方向の筐体の移動態様を検出する検出器の検出出力に応じて当該垂直選択制御信号を生成するように構成されていることを特徴とする請求項１に記載のリモートコントローラ。
【請求項４】
前記垂直選択操作部は、前記筐体の面内選択操作部の操作子が配された操作面の長手方向が水平面に対してなす傾斜角度を筐体の移動態様として検出器で検出し該検出出力に応じて当該垂直選択制御信号を生成するように構成されていることを特徴とする請求項１に記載のリモートコントローラ。
【請求項５】
各所定事項を夫々代表する複数の代表画像が各区分されて面内方向に配置される代表画像表示画面を表示器の一の表示面上に表示し、該表示された複数の代表画像のうちの何れかの代表画像を選択する操作を受け付け可能にする被選択事項表示機能を備えた被制御装置に対して前記複数の代表画像のうちの一の代表画像を選択・操作するための制御信号を送信するリモートコントローラであって、
前記被制御装置の被選択事項表示機能によって表示される当該一の代表画像表示画面上を移動するようにして代表画像の選択位置を面内方向に切替えて複数の代表画像のうちの何れかの代表画像を選択する面内選択制御信号を操作者の操作に応じて生成するための面内選択操作部と、当該選択された代表画像に関する縮尺を変更するための縮尺変更制御信号を操作者の操作に応じて生成するための縮尺変更操作部とを備え、且つ、前記面内選択操作部は当該リモートコントローラの筐体に配された操作子に対する操作者の操作に応じて当該面内選択制御信号を生成し、前記縮尺変更操作部は当該リモートコントローラの筐体の移動態様に応じて当該縮尺変更制御信号を生成するように構成されていることを特徴とするリモートコントローラ。
【請求項６】
前記縮尺変更操作部は、前記筐体の移動態様を検出する検出器の検出出力に応じて当該縮尺変更制御信号を生成するように構成されていることを特徴とする請求項５に記載のリモートコントローラ。
【請求項７】
前記縮尺変更操作部は、前記面内選択操作部の操作子が配された前記筐体上の操作面と交差する方向の筐体の移動態様を検出する検出器の検出出力に応じて当該縮尺変更制御信号を生成するように構成されていることを特徴とする請求項５に記載のリモートコントローラ。
【請求項８】
前記縮尺変更操作部は、前記筐体の面内選択操作部の操作子が配された操作面の長手方向が水平面に対してなす傾斜角度を筐体の移動態様として検出器で検出し該検出出力に応じて当該縮尺変更制御信号を生成するように構成されていることを特徴とする請求項５に記載のリモートコントローラ。
【請求項９】
各所定事項を夫々代表する複数の代表画像が各区分されて面内方向に配置される代表画像表示画面を表示器の一の表示面上に表示し、該表示された複数の代表画像のうちの何れかの代表画像を選択する操作を受け付け可能にする被選択事項表示機能を備えた被制御装置に対して前記複数の代表画像のうちの一の代表画像を選択・確定するための制御信号を送信するリモートコントローラであって、
前記被制御装置の被選択事項表示機能によって表示される当該一の代表画像表示画面上を移動するようにして代表画像の選択位置を面内方向に切替えて複数の代表画像のうちの何れかの代表画像を選択する面内選択制御信号を操作者の操作に応じて生成するための面内選択操作部と、当該選択された代表画像に関する決定およびキャンセルを選択的に実行するための確定可否制御信号を操作者の操作に応じて生成するための確定可否操作部とを備え、且つ、前記面内選択操作部は当該リモートコントローラの筐体に配された操作子に対する操作者の操作に応じて当該面内選択制御信号を生成し、前記確定可否操作部は当該リモートコントローラの筐体の移動態様に応じて当該確定可否制御信号を生成するように構成されていることを特徴とするリモートコントローラ。
【請求項１０】
前記確定可否操作部は、前記筐体の移動態様を検出する検出器の検出出力に応じて当該確定可否制御信号を生成するように構成されていることを特徴とする請求項９に記載のリモートコントローラ。
【請求項１１】
前記確定可否操作部は、前記面内選択操作部の操作子が配された前記筐体上の操作面と交差する方向の筐体の移動態様を検出する検出器の検出出力に応じて当該確定可否制御信号を生成するように構成されていることを特徴とする請求項９に記載のリモートコントローラ。
【請求項１２】
前記確定可否操作部は、前記筐体の面内選択操作部の操作子が配された操作面の長手方向が水平面に対してなす傾斜角度を筐体の移動態様として検出器で検出し該検出出力に応じて当該確定可否制御信号を生成するように構成されていることを特徴とする請求項９に記載のリモートコントローラ。
【請求項１３】
各所定事項を夫々代表する複数の代表画像が各区分されて面内方向に配置される代表画像表示画面を表示器の一の表示面上に表示し、該表示された複数の代表画像のうちの何れかの代表画像を選択する操作を受け付け可能にする被選択事項表示機能を備えた被制御装置に対して前記複数の代表画像のうちの一の代表画像を選択するための第１の制御信号および該第１の制御信号による制御の対象とされない前記被制御装置に係る所定の事象を制御するための第２の制御信号を送信するリモートコントローラであって、
前記第１の制御信号を当該リモートコントローラの筐体に配された操作子に対する操作者の操作に応じて生成する第１制御信号生成操作部と、前記第２の制御信号を当該リモートコントローラの筐体の移動態様に応じて生成する第２制御信号生成操作部とを備えていることを特徴とするリモートコントローラ。
【請求項１４】
前記第２制御信号生成操作部は、前記筐体の移動態様を検出する検出器の検出出力に応じて前記第２の制御信号を生成するように構成されていることを特徴とする請求項１３に記載のリモートコントローラ。
【請求項１５】
前記第２制御信号生成操作部は、前記第１制御信号生成操作部の操作子が配された前記筐体上の操作面と交差する方向の筐体の移動態様を検出する検出器の検出出力に応じて当該第２の制御信号を生成するように構成されていることを特徴とする請求項１３に記載のリモートコントローラ。
【請求項１６】
前記第２制御信号生成操作部は、前記第１制御信号生成操作部の操作子が配された前記筐体上の操作面の長手方向が水平面に対してなす傾斜角度を筐体の移動態様として検出器で検出し該検出出力に応じて当該確定可否制御信号を生成するように構成されていることを特徴とする請求項１３に記載のリモートコントローラ。
【発明の詳細な説明】
【技術分野】
【０００１】
本発明は、被制御装置としての例えばテレビジョン受像機に対応するリモートコントローラに関し、特に被制御装置の表示画面を利用したＧＵＩ（Graphical User Interface）に適用する場合の操作性の向上を図ったリモートコントローラに関する。
【背景技術】
【０００２】
近時、家庭用のデジタルテレビジョン受像機やデジタル放送受信機能を搭載したパーソナルコンピュータなどにおいもＧＵＩによって多種多様な機能を実現しようとする技術は普及の域に達しようとしている。
例えば、デジタル放送受信機能を搭載したパーソナルコンピュータなどにおいては、デジタルテレビジョン放送信号に重畳して送信されてくるＧＵＩ用のオブジェクトを描画するための制御情報を受信して、この制御情報に対応したオブジェクトを画面上に表示し、所謂対話型の視聴を行うといったような技術も提案されている。この種の提案の中には、グラフィックスコントローラを備えて操作の簡素化を図ろうとするものもある（特許文献１参照）。
【０００３】
また一方、多種類のテレビジョン放送、ビデオテープレコーダ、ビデオカメラ、ビデオディスク、テレビゲーム機等の外部入力、インターネット等の夫々の情報を選択して一台の表示装置に画面表示するようにした情報表示装置に関して、リモコンを用いて所望の情報の選択を容易にすることができるようにしようとする提案もある。
この提案では、テレビジョン放送、外部入力、インターネットの夫々の情報を選択して表示装置に画面表示できるようにした情報表示装置において、このテレビジョン放送、外部入力、インターネットの夫々の情報に対応してチャンネルインデックスを設定して、この表示装置の画面に統合的に表示できるようにすると共にこの統合的に表示しているチャンネルインデックスをリモートコントロール装置で選択することによりこの表示装置に表示する情報を決定するようにするというものである（特許文献２参照）。
【０００４】
他方、リモートコントローラ自体における操作の簡素化を図ろうとする技術提案もなされている。例えば、ジャイロスコープ等の垂直方向の変位（移動態様）を検出できる装置等を組込みラジコン飛行機やテレビゲーム機等をリモートコントローラで操作するときの操作性を向上させようとする提案がある。
コントローラを前後に傾ければラジコン飛行機の昇降舵等が作動し機首の上げ下げができ、左右に傾ければ補助翼が作動し機体を左右に傾けることができ、方向舵の操作はレバーをコントローラの左右上部の適当な位置に取付け、通常これを手の親指で操作し、左のレバー等を操作すれば左旋回等し、右のレバー等を操作すれば右旋回等ができるようにする。更にコントローラを持ちやすく且つ実際の操縦桿のような感覚を付加して実際の航空機の操縦桿等を操作するような感覚で操縦等ができるようにするといったものである（特許文献３参照）。
【特許文献１】特開２００６−３９２２４号公報（段落０００１〜段落０００８、図１、図２）
【特許文献２】特開２００１−１４８８１２号公報（段落０００１〜段落０００７、図４）
【特許文献３】特開２００４−２１６０９０公報（段落０００２〜段落０００４、図１）
【発明の開示】
【発明が解決しようとする課題】
【０００５】
上述した従来の技術は、家庭用のデジタルテレビジョン受像機やデジタル放送受信機能を搭載したパーソナルコンピュータなどに導入されるＧＵＩでの操作性の向上に関して、リモートコントローラ自体の操作を簡素化するといった視点からは別段の提案がなされず、乃至は、この視点からは十分なものではない。
例えば、特許文献１および特許文献２に提案の技術では、画面上のオブジェクトの表示に関する改善が提案されるも、リモートコントローラ自体の操作の簡素化の視点からは別段の提案がなく、また、特許文献３の提案では、ラジコン飛行機のコントローラを改良して実際の航空機の操縦桿を操作するような感覚で操縦ができるようにするといったものであり、デジタルテレビジョン受像機などのＧＵＩでの操作性の向上を図るためにコントローラ側をどのように改良するかといった視点からの提案はない。
【０００６】
本発明は、上述したような従来看過されていた技術的視点に着目してなされたものであり、リモートコントローラを改良してＧＵＩ等における操作性の向上を図ることのできる技術を提供することを目的としている。
【課題を解決するための手段】
【０００７】
上記課題を解決するべく、本願では次に列記するような技術を提案する。
（１）各所定事項を夫々代表する複数の代表画像が各区分されて面内方向に配置される代表画像表示画面を該代表画像表示画面に垂直な方向に仮想的に複数重畳配置して該複数重畳配置された代表画像表示画面のうちの何れかを表示器の一の表示面上に選択的に表示する被選択事項表示機能を備えた被制御装置に対して前記複数の代表画像のうちの一の代表画像を選択するための制御信号を送信するリモートコントローラであって、
前記被制御装置の被選択事項表示機能によって表示される当該一の代表画像表示画面上を移動するようにして代表画像の選択位置を面内方向に切替えて複数の代表画像のうちの何れかの代表画像を選択する面内選択制御信号を操作者の操作に応じて生成するための面内選択操作部と、前記被制御装置の被選択事項表示機能によって当該表示画面に垂直な方向に仮想的に複数重畳配置される前記各代表画像表示画面のうちの何れかの代表画像表示画面を選択する垂直選択制御信号を操作者の操作に応じて生成するための垂直選択操作部とを備え、且つ、前記面内選択操作部は当該リモートコントローラの筐体に配された操作子に対する操作者の操作に応じて当該面内選択制御信号を生成し、前記垂直選択操作部は当該リモートコントローラの筐体の移動態様に応じて当該垂直選択制御信号を生成するように構成されていることを特徴とするリモートコントローラ。
【０００８】
上記（１）のリモートコントローラでは、これによって表示等が制御されるデジタルテレビジョン受像機のような被制御装置であって、各所定事項を夫々代表する例えばアイコンやサムネイル等の複数の代表画像が各区分されて面内方向に配置される代表画像表示画面が、言わばページを重ねる如くして仮想的に複数重畳配置され、このように複数重畳配置された代表画像表示画面のうちの何れかをページをめくる如くして選択し表示器の一の表示面上に表示する被選択事項表示機能を備えた被制御装置に対して、次の二通りのものを含む制御信号を別個の操作部によって生成し送信する。
【０００９】
一つは、被制御装置の被選択事項表示機能によって表示される当該一の代表画像表示画面上を移動するようにして代表画像の選択位置を面内方向に切替えて複数の代表画像のうちの何れかの代表画像を選択する面内選択制御信号であり、リモートコントローラの筐体に配された、例えばカーソルキーのような操作子に対する操作者の操作に応じて面内選択操作部から生成される。
【００１０】
もう一つは、被制御装置の被選択事項表示機能によって当該表示画面に垂直な方向に仮想的に複数重畳配置される前記各代表画像表示画面のうちの何れかの代表画像表示画面をページをめくる如くして選択する制御を行なう垂直選択制御信号であり、リモートコントローラの筐体の移動態様（位置の移動乃至姿勢の変化等）に応じて垂直選択操作部から生成される。
【００１１】
（２）前記垂直選択操作部は、前記筐体の移動態様を検出する検出器の検出出力に応じて当該垂直選択制御信号を生成するように構成されていることを特徴とする（１）のリモートコントローラ。
上記（２）のリモートコントローラでは（１）のリモートコントローラによる作用において特に、垂直選択操作部は、前記筐体の移動態様を検出する、例えば所謂ジャイロのような検出器の検出出力に応じて、当該垂直選択制御信号を生成する。
【００１２】
（３）前記垂直選択操作部は、前記面内選択操作部の操作子が配された前記筐体上の操作面と交差する方向の筐体の移動態様を検出する検出器の検出出力に応じて当該垂直選択制御信号を生成するように構成されていることを特徴とする（１）のリモートコントローラ。
上記（３）のリモートコントローラでは（１）のリモートコントローラによる作用において特に、垂直選択操作部は、面内選択操作部の操作子が配された筐体上の操作面と交差する方向の筐体の移動態様を検出する、例えば所謂ジャイロのような検出器の検出出力に応じて、当該垂直選択制御信号を生成する。
【００１３】
（４）前記垂直選択操作部は、前記筐体の面内選択操作部の操作子が配された操作面の長手方向が水平面に対してなす傾斜角度を筐体の移動態様として検出器で検出し該検出出力に応じて当該垂直選択制御信号を生成するように構成されていることを特徴とする（１）のリモートコントローラ。
上記（４）のリモートコントローラでは（１）のリモートコントローラによる作用において特に、垂直選択操作部は、筐体の面内選択操作部の操作子が配された操作面の長手方向が水平面に対してなす傾斜角度を筐体の移動態様として検出器で検出し該検出出力に応じて当該垂直選択制御信号を生成する。操作者はこの傾斜角度を所望の選択に対応するようにリモートコントローラの筐体を傾けてデジタルテレビジョン受像機のような被制御装置の画面操作を行うことができる。
【００１４】
（５）各所定事項を夫々代表する複数の代表画像が各区分されて面内方向に配置される代表画像表示画面を表示器の一の表示面上に表示し、該表示された複数の代表画像のうちの何れかの代表画像を選択する操作を受け付け可能にする被選択事項表示機能を備えた被制御装置に対して前記複数の代表画像のうちの一の代表画像を選択・操作するための制御信号を送信するリモートコントローラであって、
前記被制御装置の被選択事項表示機能によって表示される当該一の代表画像表示画面上を移動するようにして代表画像の選択位置を面内方向に切替えて複数の代表画像のうちの何れかの代表画像を選択する面内選択制御信号を操作者の操作に応じて生成するための面内選択操作部と、当該選択された代表画像に関する縮尺を変更するための縮尺変更制御信号を操作者の操作に応じて生成するための縮尺変更操作部とを備え、且つ、前記面内選択操作部は当該リモートコントローラの筐体に配された操作子に対する操作者の操作に応じて当該面内選択制御信号を生成し、前記縮尺変更操作部は当該リモートコントローラの筐体の移動態様に応じて当該縮尺変更制御信号を生成するように構成されていることを特徴とするリモートコントローラ。
【００１５】
上記（５）のリモートコントローラでは、これによって表示等が制御されるデジタルテレビジョン受像機のような被制御装置であって、各所定事項を夫々代表する例えばアイコンやサムネイル等の複数の代表画像をそれらが各区分されて面内方向に配置される如く表示し、該表示された複数の代表画像のうちの一の代表画像を選択・操作する操作を受け付け可能にする被選択事項表示機能を備えた被制御装置に対して、次の二通りのものを含む制御信号を別個の操作部によって生成し送信する。
【００１６】
一つは、被制御装置の被選択事項表示機能によって表示される当該一の代表画像表示画面上を移動するようにして代表画像の選択位置を面内方向に切替えて複数の代表画像のうちの何れかの代表画像を選択する面内選択制御信号であり、リモートコントローラの筐体に配された、例えばカーソルキーのような操作子に対する操作者の操作に応じて面内選択操作部から生成される。
もう一つは、当該選択された代表画像に関する縮尺を変更するための縮尺変更制御信号であり、リモートコントローラの筐体の移動態様（位置の移動乃至姿勢の変化等）に応じて縮尺変更操作部から生成される。
【００１７】
（６）前記縮尺変更操作部は、前記筐体の移動態様を検出する検出器の検出出力に応じて当該縮尺変更制御信号を生成するように構成されていることを特徴とする（５）のリモートコントローラ。
上記（６）のリモートコントローラでは（５）のリモートコントローラによる作用において特に、縮尺変更操作部は、筐体の移動態様を検出する、例えば所謂ジャイロのような検出器の検出出力に応じて、当該縮尺変更制御信号を生成する。
【００１８】
（７）前記縮尺変更操作部は、前記面内選択操作部の操作子が配された前記筐体上の操作面と交差する方向の筐体の移動態様を検出する検出器の検出出力に応じて当該縮尺変更制御信号を生成するように構成されていることを特徴とする（５）のリモートコントローラ。
上記（７）のリモートコントローラでは（５）のリモートコントローラによる作用において特に、縮尺変更操作部は、前記面内選択操作部の操作子が配された前記筐体上の操作面と交差する方向の筐体の移動態様を検出する、例えば所謂ジャイロのような検出器の検出出力に応じて、当該縮尺変更制御信号を生成する。
【００１９】
（８）前記縮尺変更操作部は、前記筐体の面内選択操作部の操作子が配された操作面の長手方向が水平面に対してなす傾斜角度を筐体の移動態様として検出器で検出し該検出出力に応じて当該縮尺変更制御信号を生成するように構成されていることを特徴とする（５）のリモートコントローラ。
上記（８）のリモートコントローラでは（５）のリモートコントローラによる作用において特に、縮尺変更操作部は、筐体の面内選択操作部の操作子が配された操作面の長手方向が水平面に対してなす傾斜角度を筐体の移動態様として検出器で検出し該検出出力に応じて当該縮尺変更制御信号を生成する。操作者はこの傾斜角度を所望の選択に対応するようにリモートコントローラの筐体を傾けてデジタルテレビジョン受像機のような被制御装置の画面操作を行うことができる。
【００２０】
（９）各所定事項を夫々代表する複数の代表画像が各区分されて面内方向に配置される代表画像表示画面を表示器の一の表示面上に表示し、該表示された複数の代表画像のうちの何れかの代表画像を選択する操作を受け付け可能にする被選択事項表示機能を備えた被制御装置に対して前記複数の代表画像のうちの一の代表画像を選択・確定するための制御信号を送信するリモートコントローラであって、
前記被制御装置の被選択事項表示機能によって表示される当該一の代表画像表示画面上を移動するようにして代表画像の選択位置を面内方向に切替えて複数の代表画像のうちの何れかの代表画像を選択する面内選択制御信号を操作者の操作に応じて生成するための面内選択操作部と、当該選択された代表画像に関する決定およびキャンセルを選択的に実行するための確定可否制御信号を操作者の操作に応じて生成するための確定可否操作部とを備え、且つ、前記面内選択操作部は当該リモートコントローラの筐体に配された操作子に対する操作者の操作に応じて当該面内選択制御信号を生成し、前記確定可否操作部は当該リモートコントローラの筐体の移動態様に応じて当該確定可否制御信号を生成するように構成されていることを特徴とするリモートコントローラ。
【００２１】
上記（９）のリモートコントローラでは、これによって表示等が制御されるデジタルテレビジョン受像機のような被制御装置であって、各所定事項を夫々代表する例えばアイコンやサムネイル等の複数の代表画像をそれらが各区分されて面内方向に配置される如く表示し、該表示された複数の代表画像のうちの一の代表画像を選択・確定する操作を受け付け可能にする被選択事項表示機能を備えた被制御装置に対して、次の二通りのものを含む制御信号を別個の操作部によって生成し送信する。
【００２２】
一つは、被制御装置の被選択事項表示機能によって表示される当該一の代表画像表示画面上を移動するようにして代表画像の選択位置を面内方向に切替えて複数の代表画像のうちの何れかの代表画像を選択する面内選択制御信号であり、リモートコントローラの筐体に配された、例えばカーソルキーのような操作子に対する操作者の操作に応じて、面内選択操作部から生成される。
もう一つは、当該選択された代表画像に関する決定およびキャンセルを選択的に実行するための確定可否制御信号であり、リモートコントローラの筐体の移動態様（位置の移動乃至姿勢の変化等）に応じて確定可否操作部から生成される。
【００２３】
（１０）前記確定可否操作部は、前記筐体の移動態様を検出する検出器の検出出力に応じて当該確定可否制御信号を生成するように構成されていることを特徴とする（９）のリモートコントローラ。
上記（１０）のリモートコントローラでは（９）のリモートコントローラによる作用において特に、確定可否操作部は、筐体の移動態様を検出する、例えば所謂ジャイロのような検出器の検出出力に応じて、当該確定可否制御信号を生成する。
【００２４】
（１１）前記確定可否操作部は、前記面内選択操作部の操作子が配された前記筐体上の操作面と交差する方向の筐体の移動態様を検出する検出器の検出出力に応じて当該確定可否制御信号を生成するように構成されていることを特徴とする（９）のリモートコントローラ。
上記（１１）のリモートコントローラでは（９）のリモートコントローラによる作用において特に、確定可否操作部は、前記面内選択操作部の操作子が配された前記筐体上の操作面と交差する方向の筐体の移動態様を検出する、例えば所謂ジャイロのような検出器の検出出力に応じて、当該確定可否制御信号を生成する。
【００２５】
（１２）前記確定可否操作部は、前記筐体の面内選択操作部の操作子が配された操作面の長手方向が水平面に対してなす傾斜角度を筐体の移動態様として検出器で検出し該検出出力に応じて当該確定可否制御信号を生成するように構成されていることを特徴とする（９）のリモートコントローラ。
上記（１２）のリモートコントローラでは（９）のリモートコントローラによる作用において特に、確定可否操作部は、前記筐体の面内選択操作部の操作子が配された操作面の長手方向が水平面に対してなす傾斜角度を筐体の移動態様として検出器で検出し該検出出力に応じて当該確定可否制御信号を生成する。操作者はこの傾斜角度を所望の選択に対応するようにリモートコントローラの筐体を傾けてデジタルテレビジョン受像機のような被制御装置の画面操作を行うことができる。
【００２６】
（１３）各所定事項を夫々代表する複数の代表画像が各区分されて面内方向に配置される代表画像表示画面を表示器の一の表示面上に表示し、該表示された複数の代表画像のうちの何れかの代表画像を選択する操作を受け付け可能にする被選択事項表示機能を備えた被制御装置に対して前記複数の代表画像のうちの一の代表画像を選択するための第１の制御信号および該第１の制御信号による制御の対象とされない前記被制御装置に係る所定の事象を制御するための第２の制御信号を送信するリモートコントローラであって、
前記第１の制御信号を当該リモートコントローラの筐体に配された操作子に対する操作者の操作に応じて生成する第１制御信号生成操作部と、前記第２の制御信号を当該リモートコントローラの筐体の移動態様に応じて生成する第２制御信号生成操作部とを備えていることを特徴とするリモートコントローラ。
【００２７】
上記（１３）のリモートコントローラでは、これによって表示等が制御されるデジタルテレビジョン受像機のような被制御装置であって、各所定事項を夫々代表する例えばアイコンやサムネイル等の複数の代表画像をそれらが各区分されて面内方向に配置される如く表示し、該表示された複数の代表画像のうちの一の代表画像を選択する操作を受け付け可能にする被選択事項表示機能を備えた被制御装置に対して、次の第１および第２の二通りのものを含む制御信号を別個の操作部によって生成し送信する。
【００２８】
第１の制御信号は、複数の代表画像のうちの一の代表画像を選択するためのものであり、リモートコントローラの筐体に配された、例えばカーソルキーのような操作子に対する操作者の操作に応じて、第１制御信号生成操作部から生成される。
第２の制御信号は、第１の制御信号による制御の対象とされない被制御装置に係る所定の事象を制御するためのものであり、リモートコントローラの筐体の移動態様（位置の移動乃至姿勢の変化等）に応じて第２制御信号生成操作部から生成される。
【００２９】
（１４）前記第２制御信号生成操作部は、前記筐体の移動態様を検出する検出器の検出出力に応じて前記第２の制御信号を生成するように構成されていることを特徴とする（１３）のリモートコントローラ。
上記（１４）のリモートコントローラでは（１３）のリモートコントローラによる作用において特に、第２制御信号生成操作部は、筐体の移動態様を検出する、例えば所謂ジャイロのような検出器の検出出力に応じて、当該確定可否制御信号を生成する。
【００３０】
（１５）前記第２制御信号生成操作部は、前記第１制御信号生成操作部の操作子が配された前記筐体上の操作面と交差する方向の筐体の移動態様を検出する検出器の検出出力に応じて当該第２の制御信号を生成するように構成されていることを特徴とする（１３）のリモートコントローラ。
上記（１５）のリモートコントローラでは（１３）のリモートコントローラによる作用において特に、第２制御信号生成操作部は、第１制御信号生成操作部の操作子が配された筐体上の操作面と交差する方向の筐体の移動態様を検出する、例えば所謂ジャイロのような検出器の検出出力に応じて、当該第２の制御信号を生成する。
【００３１】
（１６）前記第２制御信号生成操作部は、前記第１制御信号生成操作部の操作子が配された前記筐体上の操作面の長手方向が水平面に対してなす傾斜角度を筐体の移動態様として検出器で検出し該検出出力に応じて当該確定可否制御信号を生成するように構成されていることを特徴とする（１３）のリモートコントローラ。
上記（１６）のリモートコントローラでは（１３）のリモートコントローラによる作用において特に、第２制御信号生成操作部は、前記第１制御信号生成操作部の操作子が配された前記筐体上の操作面の長手方向が水平面に対してなす傾斜角度を筐体の移動態様として検出器で検出し該検出出力に応じて当該確定可否制御信号を生成する。操作者はこの傾斜角度を所望の選択に対応するようにリモートコントローラの筐体を傾けて、例えばデジタルテレビジョン受像機のような被制御装置の選択項目の確定操作のような、第１の制御信号による制御の対象とされない所定の事象の操作を行うことができる。
【発明を実施するための最良の形態】
【００３２】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の一つの実施の形態としてのリモートコントローラによって被制御装置としてのデジタルテレビジョン受像機の画面操作を行う状況を表す図である。
【００３３】
図１において、被制御装置としてのデジタルテレビジョン受像機（以下、デジタルテレビという）１００はこれに対応するリモートコントローラ２００から赤外光等による制御信号を受けてその動作が制御され得るように構成されている。
デジタルテレビ１００は、その筐体１０１に、映像を映出するスクリーン１０２を持つ例えば液晶表示器あるいはプラズマディスプレイ等の表示器１６０を備えている。
【００３４】
また、デジタルテレビ１００の、スクリーン１０２の下方の右側に寄った部位にはリモートコントローラ２００からの例えば赤外光によるリモートコントロール信号を受けるリモートコントロール信号検出用窓１８０が設けられている。
本例では、デジタルテレビ１００は、所定事項を夫々代表する複数の代表画像（図示の場合では、スクリーン１０２の左下方に映出された３×３の９個の小画面ａ，ｂ，ｃ，ｄ，ｅ，ｆ，ｇ，ｈ，ｉである各画像）が各区分されてスクリーン１０２の面内方向に配置される代表画像表示画面Ｓ１を表示器１６０の一の表示面上に表示し、表示された複数の代表画像（ａ，ｂ，ｃ，ｄ，ｅ，ｆ，ｇ，ｈ，ｉ）のうちの何れかの代表画像を選択する操作を受け付け可能に表示する被選択事項表示機能を備えている。
【００３５】
一方、リモートコントローラ２００は、その筐体２０１の外観については、従来のテレビ用リモートコントローラと変わりが無く、図１では表現されないがその上面側（図２および図３を参照して後述する操作面２３１Ｓ）にカーソルキー（図３のリモートコントローラ２００の筐体２０１における２０Ｕ，２０Ｄ，２０Ｒ，２０Ｌ）を含む操作子が配されている。このカーソルキーの操作によって、上述の代表画像のうちの一のものが選択される（図示の場合では、９個の小画面ａ，ｂ，ｃ，ｄ，ｅ，ｆ，ｇ，ｈ，ｉのうちの中央に位置する小画面ｅが選択されている）。
【００３６】
代表画像表示画面Ｓ１からカーソルキーの操作によって一の代表画像ｅが選択された状態で、リモートコントローラの筐体２０１（その先端側）を、上述の操作面２３１Ｓと交差する方向に、即ち図示の白抜きの矢線図示のように上方に、振り向けると、筐体２０１のこのような移動態様が内部の検出器で検出されることに応じて生成される制御信号（縮尺変更制御信号）によって、スクリーン１０２の左上方から中央までを占める如くに拡大された代表画像ｅの拡大画像が表示されるようになる。尚、もう一方の白抜きの矢線図示のように、リモートコントローラの筐体２０１の先端側を下方に振り戻すと、拡大されていた画像は縮小されて元の代表画像の表示に戻されるような機能を併せ持つようにしてもよい。
【００３７】
図２は、図１中のリモートコントローラ２００の構成例を示すブロック図である。リモートコントローラ２００の筐体２０１には自己の位置の相対的変化を非接触で検出する公知の慣性センサや所謂ジャイロ等で構成される移動態様検出部２１１が設けられている。昨今開発されて公知の慣性センサの中には極めて小型で検出精度に優れたものがあるため、このようなセンサを適用すれば遠隔制御装置の移動態様、即ち、位置（その変化）や姿勢が的確に検出され得る。
【００３８】
この移動態様検出部２１１における検出特性（検出感度等）を調整する検出特性調整部２１２が設けられ、システムコントローラ２３０の制御下でこの調整が図られるように構成されている。即ち、筐体２０１の移動態様（位置及び姿勢等に係る相対的変化）を非接触で検出するに際しての特性を適宜に変更することによって、リモートコントローラ２００を用いる目的、場所、時間、使用者の感性等の諸条件によく適合した遠隔制御のための操作を操作者の任意により選択することが可能になる。
【００３９】
システムコントローラ２３０はリモートコントローラ２００の回路系を統括的に制御し種々の演算を実行するマイクロプロセッサを主要な構成要素として含んで構成され、その各該当する機能部の働きによってこのリモートコントローラ２００の枢要な構成要件としての各手段として機能するようになされている。このシステムコントローラ２３０には、リモートコントローラ２００の筐体２０１に設けられたカーソルキーを含む操作キーと液晶表示器を有する操作・表示部２３１が制御や表示のための信号の授受が行われるように接続されている。また、種々の制御態様に係る所要のデータを保有したデータテーブルなどが格納されたメモリ２３２、および、各部に動作電源を供給する電源部２４０が設けられている。
【００４０】
図１を参照して説明した赤外光等によるリモートコントロール信号を発する赤外ＬＥＤ等の発光素子を含んでなるリモートコントロール信号送信部２２０は、上述のシステムコントローラ２３０からの指令に応じて所要のリモートコントロール信号を発する。
本発明の一つの実施の形態では、操作者による操作に対応する画面での表示状況の変化については、図４〜図７に例示され、当該操作に応じて発せられる制御信号たるこのリモートコントロール信号は次の二通りのものを含む。
【００４１】
一つは、被制御装置（デジタルテレビ１００）の被選択事項表示機能によって表示される当該一の代表画像表示画面上（図４〜図７における大項目１〜大項目４のうちの何れかの範囲内）を移動するようにして代表画像（図４〜図７における、大項目１中の項目１１１〜項目１４３；大項目２中の項目２１１〜項目２４３；大項目３中の項目３１１〜項目３４３；大項目４中の項目４１１〜項目４４３）の選択位置を面内方向に切替えて複数の代表画像のうちの何れかの代表画像を選択する面内選択制御信号であり、リモートコントローラ２００の筐体２０１に配されたカーソルキー（図３のリモートコントローラ２００の筐体２０１における２０Ｕ，２０Ｄ，２０Ｒ，２０Ｌ）に対する操作者の操作に応じて操作・表示部２３１とシステムコントローラ２３０の該当機能部を含んで構成される面内選択操作部から生成される。
【００４２】
もう一つは、被制御装置の被選択事項表示機能によって当該表示画面に垂直な方向に仮想的に複数重畳配置される前記各代表画像表示画面（図４〜図７における大項目１〜大項目４）のうちの何れかの代表画像表示画面を、ページをめくる如くして選択する制御を行なう垂直選択制御信号であり、操作者の操作によるリモートコントローラ２００の筐体２０１の移動態様（位置の移動乃至姿勢の変化）に応じて移動態様検出部２１１とシステムコントローラ２３０の該当機能部を含んで構成される垂直選択操作部から生成される。
【００４３】
この垂直選択操作部は、面内選択操作部の操作子（操作・表示部２３１のカーソルキー）が配された筐体２０１上の操作面２３１Ｓに略垂直な方向の筐体２０１の移動態様を検出する、例えば所謂ジャイロのような検出器を含む移動態様検出部２１１の検出出力に応じて、当該垂直選択制御信号を生成する。
また、本発明の他の実施の形態では、制御信号たるリモートコントロール信号は次の二通りのものを含み、別個の操作部によって生成される。
【００４４】
一つは、被制御装置（デジタルテレビ１００）の被選択事項表示機能によって表示される当該一の代表画像表示画面上を移動するようにして代表画像の選択位置を面内方向に切替えて複数の代表画像のうちの何れかの代表画像を選択する面内選択制御信号であり、リモートコントローラ２００の筐体２０１に配された、上述のカーソルキーのような操作子に対する操作者の操作に応じて、操作・表示部２３１とシステムコントローラ２３０の該当機能部を含んで構成される面内選択操作部から生成される。
【００４５】
もう一つは、図１を参照して既述のような、当該選択された代表画像に関する縮尺を変更するための縮尺変更制御信号であり、操作者の操作によるリモートコントローラ２００の筐体２０１の移動態様（位置の移動乃至姿勢の変化）に応じて、移動態様検出部２１１とシステムコントローラ２３０の該当機能部を含んで構成される縮尺変更操作部から生成される。
【００４６】
この実施の形態における縮尺変更操作部は、面内選択操作部の操作子（操作・表示部２３１のカーソルキー）が配された筐体２０１上の操作面２３１Ｓに略垂直な方向の筐体２０１の移動態様を検出する、例えば所謂ジャイロのような検出器を含む移動態様検出部２１１の検出出力に応じて、当該縮尺変更制御信号を生成する。
本発明の更に他の実施の形態では、制御信号たるリモートコントロール信号は次の二通りのものを含み、別個の操作部によって生成される。
【００４７】
一つは、被制御装置（デジタルテレビ１００）の被選択事項表示機能によって表示される当該一の代表画像表示画面上を移動するようにして代表画像の選択位置を面内方向に切替えて複数の代表画像のうちの何れかの代表画像を選択する面内選択制御信号であり、リモートコントローラ２００の筐体２０１に配された、上述のカーソルキー（図３のリモートコントローラ２００の筐体２０１における２０Ｕ，２０Ｄ，２０Ｒ，２０Ｌ）のような操作子に対する操作者の操作に応じて、操作・表示部２３１とシステムコントローラ２３０の該当機能部を含んで構成される面内選択操作部から生成される。
【００４８】
もう一つは、当該選択された代表画像に関する決定およびキャンセルを選択的に実行するための確定可否制御信号であり、操作者の操作によるリモートコントローラ２００の筐体２０１の移動態様（位置の移動乃至姿勢の変化）に応じて、移動態様検出部２１１とシステムコントローラ２３０の該当機能部を含んで構成される確定可否操作部から生成される。
【００４９】
図３は、図１の被制御装置としてのデジタルテレビ１００の構成例を示すブロック図である。周波数変換器を備えたアンテナ１１０で受信され周波数変換された放送波は複数系統のチューナ回路を含んで構成されたチューナ部１２０に供給される。
チューナ部１２０では、映像データと音声データとを含む高周波データ変調信号のうちから所望の特定周波数の信号を抽出し、復調処理、逆インターリーブ処理、誤り訂正処理等を行って上記抽出した信号を復調してトランスポートストリームを出力する。更に、チューナ部１２０は、誤り訂正処理の過程で得られる受信状態を表すエラーレートまたはＣ／Ｎ比のデータを生成する。
【００５０】
チューナ部１２０の出力であるトランスポートストリームはデスクランブル部１３０に供給される。デスクランブル部１３０は、適用されたＩＣカード（コンディショナルアクセスカード）１３１からＩＣカード読取り部１３２が読取った鍵情報を用いてトランスポートストリームのスクランブルを解除する。
デスクランブル部１３０は、更に、デマルチプレクス処理機能を備えており、デスクランブル処理されたトランスポートストリームを、ＭＰＥＧ２（Moving Picture Experts Group２）のビデオトランスポートパケット、オーディオトランスポートパケット、及びＰＳＩ／ＳＩ（Program Specific Information／Service Information）に分離する。
【００５１】
このように分離されたビデオトランスポートパケットとオーディオトランスポートパケットはＡＶデコーダ部１４０に供給される。
このデジタルテレビ１００の系全体を統括的に制御するマイクロプロセッサを主体に構成されたシステムコントローラ１５０が設けられ、このシステムコントローラ１５０に、受信状態を表すエラーレートまたはＣ／Ｎ比のデータ、および、ＰＳＩ／ＳＩのデータも入力される。タイマー１８０はシステムコントローラ１５０に時刻情報を供給する。システムコントローラ１５０はその各該当する機能部の働きによって本装置が十全に機能するように構成されている。
【００５２】
トランスポートストリームには複数のチャンネルが多重化されており、これらのうちから所望のチャンネルを選択することは、既述のＰＳＩ／ＳＩから当該所望のチャンネルがトランスポートストリーム中でどのパケットＩＤで多重化されているかといったデータを判読することによって達成される。
また、トランスポートストリームの選定（トランスポンダの選定）もＰＳＩ／ＳＩに依拠して行われる。
【００５３】
尚、ＳＩ（サービス情報）には、番組情報（番組内容、番組開始時刻、番組継続時間、ジャンル情報等）が含まれている。
ＡＶデコーダ部１４０は、ビデオトランスポートパケットに対してデコードを行うビデオデコーダ、および、オーディオトランスポートパケットに対してデコードを行うオーディオデコーダを備えている。
【００５４】
このビデオデコーダは、入力された可変長符号を復号して量子化係数や動きベクトルを求め、逆ＤＣＴ変換や動きベクトルに基づく動き補償制御などを行う。
また、オーディオデコーダは、入力された符号化信号を復号して音声データを生成する。
ＡＶデコーダ部１４０の上述のビデオデコーダの出力は、加算器１４１を介して映像処理部１４２に供給され、一方、上述のオーディオデコーダの出力は、音声処理部１４３に供給される。
【００５５】
映像処理部１４２は、ＡＶデコーダ部１４０から映像データを受け取ってＤ／Ａ変換を行い、例えばコンポジット映像信号に変換する。一方、音声処理部１４３は、ＡＶデコーダ部１４０から音声データを受け取ってＤ／Ａ変換を行い、例えば右（Ｒ）音のアナログ信号および左（Ｌ）音のアナログ信号を生成する。
映像処理部１４２の出力は映像出力部１４４を介して表示器１６０に供給されて映像が画面に表示され、音声処理部１４３の出力は音声出力部１４５を介してスピーカ１６１に供給されて音声が出力される。
【００５６】
システムコントローラ１５０の制御下で作動するＯＳＤ部１５１が設けられ、システムコントローラ１５０から出力指示された文字情報や色情報に基づく映像データを生成して加算器１４１に出力する。加算器１４１は映像データをＡＶデコーダ１４０から出力される受信映像データに組み込む処理を行う。
リモートコントローラ２００からの赤外光によるリモートコントロール信号を受信するためのリモートコントロール信号受信部１５２が設けられ、その出力がリモートコントロール信号デコード部１５３でデコード処理されてシステムコントローラ１５０に供給されるように構成されている。
【００５７】
この図３には、リモートコントローラ２００の筐体２０１上の操作面２３１Ｓ側から見た平面図が示されている。既述のとおり、リモートコントローラ２００の外観は既存のこの種のものと同様であり、種々の操作子（操作キー）が操作面２３１Ｓ上に配されており、これも既存のものと同様にアップキー２０Ｕ、ダウンキー２０Ｄ、ライトキー２０Ｒ、レフトキー２０Ｌを含むカーソルキーが四方に向けて配され、その中心に決定キー２０Ｅが配されている。
【００５８】
尚、既存のこの種のリモートコントローラにおいてはキー操作によって行う操作、例えば表示の階層を切替える操作や縮小画面を拡大表示させる操作或いは確定（実行）指示の操作等を、本発明では、キー操作によらず筐体２０１に変位を与えて移動態様検出部２１１での検出出力を発生させて実現できるため、これらに該当する操作に関する操作キーを設けない構成を採ることも可能である。このようにした場合には、リモートコントローラの操作部の構成が簡素化され、使用者が操作キーの選択に迷ったり誤操作したりする虞が大幅に低減する。
【００５９】
メモリ１５５がシステムコントローラ１５０と種々のデータの授受を行い得るように設けられ、更に、このデジタルテレビ１００に対してリモートコントローラ２００を介さずに直接操作を行うための操作ボタンやその他の操作子を備えた操作部１５６がシステムコントローラ１５０に接続されている。
また、メモリ１５５の他に、ＥＰＧ画面やＧＵＩの画面乃至その画面における既述の代表画像のデザインを規定するデータを保有したフラッシュメモリ１７０もシステムコントローラ１５０に所要のタイミングで該当するデータを供給可能なように接続されている。
システムコントローラ１５０の制御下で作動するＯＳＤ部１５１はシステムコントローラ１５０から出力指示された文字情報や色情報に基づく映像データを生成して加算器１４１に出力するが、このＯＳＤ部１５１によって、番組情報に基づくＥＰＧ（Electronic Program Guide）表示、データ放送表示、メニュー画面表示などが行えることになる。
【００６０】
フラッシュメモリ１７０には、ＥＰＧ画面のデザイン（ＥＰＧの表の、各欄のレイアウト、枠線や罫線の色、枠内の色、番組名等を表記した文字の色、更には、以上各部の輝度等）を規定するデータが保持されている。ＥＰＧ画面のデザインは複数登録されており、システムコントローラ１５０からの指令に応答してデザインが変更され得る。
また、既述のように、システムコントローラ１５０の制御下で作動するＯＳＤ部１５１はシステムコントローラ１５０から出力指示された文字情報や色情報に基づく映像データを生成して加算器１４１に出力するが、このＯＳＤ部１５１によって、番組情報に基づくＥＰＧ（Electronic Program Guide）表示、データ放送表示、ＧＵＩにおけるメニュー画面表示などが行えることになる。
【００６１】
本発明の一つの実施の形態に関連する被選択事項表示機能、即ち、各所定事項を夫々代表する例えばアイコンやサムネイル等の複数の代表画像が各区分されて面内方向に配置される代表画像表示画面を該代表画像表示画面に垂直な方向に仮想的に複数重畳配置して該複数重畳配置された代表画像表示画面のうちの何れかを表示器１６０の一の表示面上に選択的に表示する被選択事項表示機能も、このフラッシュメモリ１７０に保有されている代表画像のデザインを規定するデータを用いてシステムコントローラ１５０の該当する機能部やＯＳＤ部１５１の働きによって実現される。
【００６２】
また、本発明の他の実施の形態に関連する被選択事項表示機能、即ち、各所定事項を夫々代表する例えばアイコンやサムネイル等の複数の代表画像をそれらが各区分されて面内方向に配置される如く表示し、該表示された複数の代表画像のうちの一の代表画像を選択・操作する操作を受け付け可能にする機能も、このフラッシュメモリ１７０に保有されている代表画像のデザインを規定するデータを用いてシステムコントローラ１５０の該当する機能部やＯＳＤ部１５１の働きによって実現される。
【００６３】
更にまた、本発明の更に他の実施の形態に関連する被選択事項表示機能、即ち、各所定事項を夫々代表する例えばアイコンやサムネイル等の複数の代表画像をそれらが各区分されて面内方向に配置される如く表示し、該表示された複数の代表画像のうちの一の代表画像を選択・確定する操作を受け付け可能にする機能も、このフラッシュメモリ１７０に保有されている代表画像のデザインを規定するデータを用いてシステムコントローラ１５０の該当する機能部やＯＳＤ部１５１の働きによって実現される。
【００６４】
他方、システムコントローラ１５０には、この種の映像機器において通常の仕様とされるＩＰ網４００との接続を可能にするためのＩＰ網インターフェース部１５７が接続されている。本例のデジタルテレビ１００は、このＩＰ網インターフェース部１５７を通してＩＰ網４００と、従って、ＩＰ網４００を介してサーバ４５０のような情報源と結ばれて広範囲に情報の授受を行うことが可能である。
そして、このようにＩＰ網４００を介して外部から取得した情報に関してＧＵＩの手法を駆使して種々画面上での操作を行うに際しても、本発明のリモートコントローラ２００を適用すれば操作の能率を向上させることができる。
【００６５】
図４〜図７は、本発明の実施の形態としてのリモートコントローラを用いて、被制御装置としての、例えばデジタルテレビ１００における階層表示によるＧＵＩでの操作を行う様子を表す図である。図４〜図７の各図において、それらの（Ａ）部はデジタルテレビ１００におけるスクリーン１０２での表示状況を表わし、それらの（Ｂ）部は各（Ａ）部に対応する本発明の実施の形態としてのリモートコントローラの筐体の移動態様（位置の移動乃至姿勢の変化）の様子を表わしている。
【００６６】
図４〜図７では、スクリーン１０２に映出される画像は、大項目１、２、３、および、４がそれぞれ一つの階層、乃至は、カテゴリであって、図４の通り、大項目１については、各所定事項を夫々代表する複数の代表画像である項目１１１〜項目１４３が図示のように各区分されて（図示の例では離散的に）面内方向に配置されて一つの代表画像表示画面が構成されている。
【００６７】
同様に、図５の通り、大項目２については、各所定事項を夫々代表する複数の代表画像である項目２１１〜項目２４３が図示のように各区分されて離散的に面内方向に配置されて一つの代表画像表示画面が構成され、図６の通り、大項目３については、各所定事項を夫々代表する複数の代表画像である項目３１１〜項目３４３が図示のように各区分されて離散的に面内方向に配置されて一つの代表画像表示画面が構成され、図７の通り、大項目４については、各所定事項を夫々代表する複数の代表画像である項目４１１〜項目４４３が図示のように各区分されて離散的に面内方向に配置されて一つの代表画像表示画面が構成されている。
【００６８】
図示の通り、各代表画像表示画面（大項目１、２、３、および、４の画面）は、これら代表画像表示画面に垂直な方向に仮想的に複数重畳配置され、該複数重畳配置された代表画像表示画面がデジタルテレビ１００の既述の被選択事項表示機能によって、それらの何れか一のものが表示器の一の表示面上に選択的に表示される。
これら各代表画像表示画面（大項目１、２、３、および、４の画面）に各対応して所属する項目１１１〜項目１４３、項目２１１〜項目２４３、項目３１１〜項目３４３、および、項目４１１〜項目４４３については、リモートコントローラ２００から発せられる面内選択制御信号によって選択位置を面内方向に切替えて複数の代表画像のうちの何れかの代表画像を選択する操作によって特定される。
【００６９】
即ち、リモートコントローラ２００の筐体２０１に配されたカーソルキー（図３のリモートコントローラ２００の筐体２０１における２０Ｕ，２０Ｄ，２０Ｒ，２０Ｌ）に対する操作者の操作に応じて操作・表示部２３１とシステムコントローラ２３０の該当機能部を含んで構成される面内選択操作部から生成される面内選択制御信号によって項目１１１〜項目１４３、項目２１１〜項目２４３、項目３１１〜項目３４３、および、項目４１１〜項目４４３の何れかが特定される。
【００７０】
更に、デジタルテレビ１００の各代表画像表示画面（大項目１、２、３、および、４の画面）自体の切り替えは、リモートコントローラ２００から発せられる垂直選択制御信号によって、ページをめくる如くして実行される。
このとき、図４〜図７の例では、図４（Ａ）の大項目１の階層は、リモートコントローラ２００（筐体２０１）上の操作面２３１Ｓの長手方向を、図４（Ｂ）の如く、略水平にしたときに、移動態様検出部２１１とシステムコントローラ２３０の該当機能部を含んで構成される垂直選択操作部から生成される垂直選択制御信号によって選択される。
【００７１】
また、図５（Ａ）の大項目２の階層は、リモートコントローラ２００（筐体２０１）上の操作面２３１Ｓの長手方向を、図５（Ｂ）の如く、水平面から略３０度先端側を立てて傾斜した姿勢にしたときに、移動態様検出部２１１とシステムコントローラ２３０の該当機能部を含んで構成される垂直選択操作部から生成される垂直選択制御信号によって選択される。
【００７２】
更に、図６（Ａ）の大項目３の階層は、リモートコントローラ２００（筐体２０１）上の操作面２３１Ｓの長手方向を、図６（Ｂ）の如く、水平面から略４５度先端側を立てて傾斜した姿勢にしたときに、移動態様検出部２１１とシステムコントローラ２３０の該当機能部を含んで構成される垂直選択操作部から生成される垂直選択制御信号によって選択される。
【００７３】
同様に、図７（Ａ）の大項目４の階層は、リモートコントローラ２００（筐体２０１）上の操作面２３１Ｓの長手方向を、図７（Ｂ）の如く、水平面から略６０度先端側を立てて傾斜した姿勢にしたときに、移動態様検出部２１１とシステムコントローラ２３０の該当機能部を含んで構成される垂直選択操作部から生成される垂直選択制御信号によって選択される。
【００７４】
図８は、本発明の実施の形態としてのリモートコントローラ２００と、これに対応する被制御装置（デジタルテレビ）の動作を表すフローチャートである。
動作が開始すると、リモートコントローラ２００（そのシステムコントローラ２３０）においてカーソルキー（図３のリモートコントローラ２００の筐体２０１における２０Ｕ，２０Ｄ，２０Ｒ，２０Ｌ）に対する操作の有無が検出される（ステップＳ８０１）。
【００７５】
この操作があったことが検出されたときには（ステップＳ８０１：Ｙｅｓ）、当該操作に対応するリモートコントロール信号がリモートコントロール信号送信部２２０から発せられ、このリモートコントロール信号を受けた被制御装置（デジタルテレビ）側では、当該操作に対応してＸ，Ｙ軸方向（面内方向）の項目選択（例えば、図４（Ａ）の場合では、大項目１に属する項目１１１〜項目１４３うちの何れかの選択）の処理を実行する（ステップＳ８２１）。
【００７６】
ステップＳ８０１で、カーソルキーの操作はないことが検出されたときには（ステップＳ８０１：Ｎｏ）、リモートコントローラ２００の筐体２０１（その長手方向）のＺ方向（水平面に垂直な方向）の動き（移動態様）を移動態様検出部２１１の検出出力に基づいて判断する（ステップＳ８０２）。
Ｚ方向の動きがあることが検出されたときには（ステップＳ８０２：Ｙｅｓ）、当該操作に対応するリモートコントロール信号がリモートコントロール信号送信部２２０から発せられ、このリモートコントロール信号を受けた被制御装置（デジタルテレビ）側では、当該操作に対応してＺ軸方向（面に垂直な方向）の項目選択（例えば、図４〜図７の場合では、大項目１〜大項目４うちの何れかの選択）の処理を実行する（ステップＳ８２２）。
【００７７】
ステップＳ８０２で、Ｚ方向の動きはないことが検出されたときには（ステップＳ８０３：Ｎｏ）、リモートコントローラ２００の操作面２３１Ｓの他の操作キーへの操作の有無を判断する（ステップＳ８０３）。
ステップＳ８０３で、何れかの操作キーへの操作がなされたと判断されたときには、当該操作キーの操作に対応するリモートコントロール信号がリモートコントロール信号送信部２２０から発せられ、このリモートコントロール信号を受けた被制御装置（デジタルテレビ）側では、該当する操作キーに対する操作に応じた処理を実行する（ステップＳ８２３）。
一方、ステップＳ８０３で何れの操作キーへの操作もなされていないと判断されたときには（ステップＳ８０３：Ｎｏ）、ステップＳ８０１に戻る。
【００７８】
以上を総じて、本発明の該当する実施の形態の構成、作用を技術思想として敷衍すれば、本発明思想は、その一局面において、各所定事項を夫々代表する複数の代表画像が各区分されて面内方向に配置される代表画像表示画面を表示器１６０の一の表示面（スクリーン１０２）上に表示し、該表示された複数の代表画像のうちの何れかの代表画像を選択する操作を受け付け可能にする被選択事項表示機能を備えた被制御装置（デジタルテレビ１００）に対して前記複数の代表画像のうちの一の代表画像を選択する（例えば、既述のように、面内方向に選択位置をシフトして特定のアイコンやサムネイル画像を選択する）ための第１の制御信号（既述の例では「面内選択制御信号」）および該第１の制御信号による制御の対象とされない前記被制御装置に係る所定の事象を制御するための第２の制御信号（既述の例では「縮尺変更制御信号」や「確定可否制御信号」）を送信するリモートコントローラであって、前記第１の制御信号を当該リモートコントローラの筐体に配された操作子（既述の例ではカーソルキー２０Ｕ，２０Ｄ，２０Ｒ，２０Ｌ）に対する操作者の操作に応じて生成する第１制御信号生成操作部と、前記第２の制御信号を当該リモートコントローラの筐体の移動態様に応じて生成する第２制御信号生成操作部（移動態様検出部２１１とシステムコントローラ２３０の該当機能部を含んで構成される「縮尺変更操作部」や「確定可否操作部」）とを備えていることを特徴とするリモートコントローラであると要約することができる。
【図面の簡単な説明】
【００７９】
【図１】本発明の一つの実施の形態としてのリモートコントローラによって被制御装置としてのデジタルテレビの画面操作を行う状況を表す図である。
【図２】図１中のリモートコントローラの構成例を示すブロック図である。
【図３】図１の被制御装置としてのデジタルテレビの構成例を示すブロック図である。
【図４】本発明の実施の形態としてのリモートコントローラを用いて、被制御装置としてのデジタルテレビにおける階層表示によるＧＵＩでの操作を行う様子を表す図である。
【図５】本発明の実施の形態としてのリモートコントローラを用いて、被制御装置としてのデジタルテレビにおける階層表示によるＧＵＩでの操作を行う様子を表す図である。
【図６】本発明の実施の形態としてのリモートコントローラを用いて、被制御装置としてのデジタルテレビにおける階層表示によるＧＵＩでの操作を行う様子を表す図である。
【図７】本発明の実施の形態としてのリモートコントローラを用いて、被制御装置としてのデジタルテレビにおける階層表示によるＧＵＩでの操作を行う様子を表す図である。
【図８】本発明の実施の形態としてのリモートコントローラと、これに対応する被制御装置（デジタルテレビ）の動作を表すフローチャートである。
【符号の説明】
【００８０】
２０Ｕ…アップキー  ２０Ｄ…ダウンキー  ２０Ｒ…ライトキー  ２０Ｌ…レフトキー  １００…デジタルテレビジョン受像機  １４２…映像処理部  １４４…映像出力部  １５０…システムコントローラ  １５１…ＯＳＤ部  １５２…リモートコントロール信号受信部  １５３…リモートコントロール信号デコード部  １６０…表示器  １７０…フラッシュメモリ  ２００…リモートコントローラ  ２０１…筐体  ２１１…移動態様検出部  ２１２…検出特性調整部  ２２０…リモートコントロール信号送信部  ２３０…システムコントローラ  ２３１…操作・表示部  ２３１Ｓ…操作面  ２３２…メモリ
【図１】
2007329531.tif 000003
【図２】
2007329531.tif 000004
【図３】
2007329531.tif 000005
【図４】
2007329531.tif 000006
【図５】
2007329531.tif 000007
【図６】
2007329531.tif 000008
【図７】
2007329531.tif 000009
【図８】
2007329531.tif 000010